(57)【要約】  ＬＥＤ光源のための光出力システムは、レンズアレイ間に狭いエアギャップを持つ一対のレンズアレイを備える。光出力システムは、光混合のための光インテグレーション機能を提供し、エアギャップは、均一なワイドビーム出力が、例えば非コリメート光源から受けるような、広範囲の角度からの入射光についてさえ提供されることを可能にする。
2020516040.tif 000002
【特許請求の範囲】
【請求項１】
光源位置に設けられるＬＥＤ光源のための光出力システムであって、当該光出力システムは、
前記光源位置の方を向く凸レンズを含む、第１のレンズアレイと、
前記光源位置に対して前記第１のレンズアレイの反対側にあり、前記光源位置と逆の方を向く凸レンズを含む、第２のレンズアレイと
を備え、
前記第１のレンズアレイ及び前記第２のレンズアレイ間にエアギャップがあり、前記エアギャップの厚さは、前記第１のレンズアレイの外面及び前記第２のレンズアレイの外面間の最大厚さの１０％未満であり、
前記第１のレンズアレイ及び前記第２のレンズアレイの全体の厚さは、前記第２のレンズアレイのレンズピッチ以下である、システム。
【請求項２】
前記エアギャップは、０．１ｍｍ未満の厚さ、例えば、０．０５ｍｍ未満の厚さを有する、請求項１に記載のシステム。
【請求項３】
前記第１のレンズアレイの外面及び前記第２のレンズアレイの外面間の最大厚さは、１ｍｍ以上、５ｍｍ以下である、請求項１又は２に記載のシステム。
【請求項４】
各レンズアレイの前記レンズは、３００μｍ以上、５ｍｍ以下のピッチ、例えば、３００μｍ以上、５００μｍ以下のピッチ又は０．８ｍｍ以上、５ｍｍ以下のピッチで配置される、請求項１、２又は３に記載のシステム。
【請求項５】
各レンズアレイの前記レンズは、六角形のグリッドに配置される、請求項１乃至４のいずれか一項に記載のシステム。
【請求項６】
前記第１のレンズアレイ及び前記第２のレンズアレイの前記レンズは、同じレンズピッチを有する、請求項１乃至５のいずれか一項に記載のシステム。
【請求項７】
前記第１のレンズアレイの各レンズの焦点は、前記第２のレンズアレイの外面の近くにある、請求項１乃至６のいずれか一項に記載のシステム。
【請求項８】
前記エアギャップは平坦である、請求項１乃至７のいずれか一項に記載のシステム。
【請求項９】
前記エアギャップは、前記第１のレンズアレイ又は前記第２のレンズアレイから前記全体の厚さの最大２５％離れて位置付けられる、請求項１乃至８のいずれか一項に記載のシステム。
【請求項１０】
請求項１乃至９のいずれか一項に記載の光出力システムと、
前記光源位置における光源と
を備える、照明ユニット。
【請求項１１】
前記光源は、ＬＥＤ又はＬＥＤ配列を含む、請求項１０に記載の照明ユニット。
【請求項１２】
前記ＬＥＤ、又は前記ＬＥＤ配列の各ＬＥＤは、ランバート光出力強度分布を有する、請求項１１に記載の照明ユニット。
【請求項１３】
前記光源は、チップオンボードＬＥＤ又はチップオンボードＬＥＤ配列を含む、請求項１１又は１２に記載の照明ユニット。
【請求項１４】
当該照明ユニットは反射側壁及び反射基部を有するハウジングを備え、前記光源は前記基部に設けられ、前記光出力システムは前記側壁上に設けられる、請求項１０乃至１３のいずれか一項に記載の照明ユニット。
【発明の詳細な説明】
【技術分野】
【０００１】
本発明は、例えばＬＥＤ光源の出力を処理するための光出力システムに関する。
【背景技術】
【０００２】
（１つ又は複数のＬＥＤ）のＬＥＤ光源がハウジング内に設けられ、光出力パネルが照明器具内に光源の前方に設けられる、ＬＥＤ照明器具はよく知られている。
【０００３】
透過光が望ましくない方向に放射されるのを防ぐために、光出力パネルにプロファイル面(profiled surface)を設けることが知られている。光出力パネルは、例えば、ポリメチルメタクリレート（ＰＭＭＡ）又はポリカーボネート（ＰＣ）等のプラスチック又は他の任意の材料のプレートである。
【０００４】
パネルの目的は、透過光がパネルから所望の方向に放射されるようにすることである。さらに、パネルは、色の混合を提供する、及び光源を原因とする画像アーチファクトを低減するために使用されてもよい。
【０００５】
色の混合を提供する１つのアプローチは、レンズレットのアレイ、例えば、２つのレンズレットアレイのスタックを使用することである。特定のアプローチの１つは、例えば、Dross, O.の"Kohler Integration in Color Mixing Collimators", Proc. Of SPIE Vol. 9571 957109, 2015に述べられている、いわゆるケーラーインテグレーション(Kohler integration)を利用することである。
【０００６】
ケーラーインテグレーションは、さまざまな放射色のソースのアレイから均一な色混合ビームを作り出す、又は不均一な単一のソースから光混合を提供する強力な概念(powerful concept)である。
【０００７】
ケーラーインテグレータ(Kohler integrator)の典型的な例は、図１に描かれるような線形レンズレットアレイである。インテグレータは、屈折率１．５のＰＭＭＡ等のポリマーで形成されたレンズ本体１０を含む。対向する２つの表面は各々、図示のようにピッチｐ、レンズ半径Ｒ、及び球面レンズ中心からの角度が＋／−αの、整列されたマイクロレンズのアレイを有する。レンズは凸状である、すなわち、各レンズは、レンズ本体１０の中央から外側に向かって湾曲している。レンズの間には、単一プレートのポケットが存在する。組み合わされた２つのレンズプレートの全体の厚さｖは、第１のレンズアレイのレンズポケット及び第２のレンズアレイのレンズポケット間の（法線(normal)、最短）距離である。
【０００８】
このタイプのインテグレータは、角度ψによって特徴付けられる。入射ビームが最大角φを有する場合、出射ビームの光は、φ＜ψの場合２ψの角度範囲にわたって均一に配光される。
【０００９】
コリメート光入力に対するインテグレータの機能は、ペイン１２に示されている。第１のレンズレットアレイは、第２のレンズレットアレイの表面に集束し、この表面から広角ビームが放出される。
【００１０】
図１の下部は、ψに必要な値を持つ線形レンズレットアレイの構築を可能にする幾何学的方程式を示している。グラフは、屈折率がレンズパラメータαと図示の式に基づく出力角度ψとの関係にどのように影響するかを示している。
【００１１】
図２は、上側のプロットとして５０°の半値全幅（ＦＷＨＭ）（すなわち、φ＝２５°であり、すべての光がこの範囲に制限される(confined)）の入射ビームの強度(intensity)対角度(degree)のプロットを示し、ψ＝４０°（ゆえに、ＦＷＨＭ＝８０°）のレンズレット表面についての出射ビームの強度対角度のプロットも示す。
【００１２】
この線形ケーラーインテグレータの入力パラメータは、ｎ＝１．５０（屈折率）、Ｒ＝０．５ｍｍ、ψ＝４０°である。α、ｖ、ｐ、ｘの計算値は、α＝６１．１°、ｖ＝０．６６５ｍｍ、ｐ＝０．８７５ｍｍ、ｘ＝０．２５８ｍｍである。
【００１３】
図２は、入射ビームのすべての光が配光される、したがって８０°（２ψ）の角度範囲内で混合されることを示している。
【００１４】
図３は、入力光が所要の狭い角度範囲に制限されない場合の状況を示している。
【００１５】
図３は、上側のプロットとしてＦＷＨＭ＝１２０°（すなわち、φ＝６０°）の入射ビームの強度対角度のプロットを示し、ψ＝４０°の同じレンズレット表面についての出射ビームの強度対角度のプロットも示す。
【００１６】
図３に示されるようにψ＜φの場合、光は、レンズアレイからすべての方向に逃げる。角度＞ψで逃げる光は混合されず、床又は壁等のターゲット表面にアーチファクト（色混合の減少によるカラーアーチファクト等）を与える可能性がある。
【００１７】
これは、これらのアーチファクトを回避するために、光がケーラーレンズレットプレートに入る前にコリメートされる必要があることを意味する。斯くして、追加の光学系が必要であり、これは、光システムを望ましくないほど大きな体積／サイズ及び高コストにする。
【発明の概要】
【発明が解決しようとする課題】
【００１８】
したがって、良好な光混合を備えた出力ビーム角度の制御を可能にし、低コスト及び低重量の光学部品で達成され得る光学システムが必要である。
【課題を解決するための手段】
【００１９】
本発明は、特許請求の範囲により規定される。
【００２０】
本発明の一態様による例によれば、光源位置に設けられるＬＥＤ光源のための光出力システムであって、当該光出力システムは、
光源位置の方を向く凸レンズを含む、第１のレンズアレイと、
光源位置に対して第１のレンズアレイの反対側にあり、光源位置と逆の方を向く凸レンズを含む、第２のレンズアレイと
を備え、
第１のレンズアレイ及び第２のレンズアレイ間にエアギャップがあり、エアギャップの厚さは、第１のレンズアレイの外面及び第２のレンズアレイの外面間の最大厚さの１０％未満である、システムが提供される。
【００２１】
好ましくは、第１のレンズアレイ及び第２のレンズアレイの全体の厚さは、第２のレンズアレイのレンズピッチ以下である。斯くして、クロストークがさらに相殺又は低減されるというさらに改善された光出力システムが得られる。代替的又は追加的に、光出力システムの所望の品質に応じて、ギャップの位置を選択することにより、光出力システムの特性は調整されることができる。好ましくは、エアギャップは、第１のレンズアレイ又は第２のレンズアレイから全体の厚さの最大２５％離れて位置付けられる。
【００２２】
当該出力システムは、本質的にケーラーインテグレーターとして機能し、２つのレンズアレイは互いに反対を向いている。２つのレンズアレイのレンズは、レンズの対を形成するように整列される。しかしながら、エアギャップを設けることは、インテグレーション機能が、低グレアのワイドビームが形成されることを可能にするために、とりわけ事前のコリメーションのない、拡散光で作用することを意味する。エアギャップは、臨界角を超える入射角に対して全反射機能を提供する、角度選択性リフレクタとして機能するものと見なされてもよい。光出力システムは、均一な光出口窓が、魅力的な外観を有して形成されることを可能にする。
【００２３】
エアギャップは、第１のレンズアレイにおけるレンズからの屈折光ビームが、対のレンズではない第２のレンズアレイにおけるレンズに渡り得るのを防ぐように狭い。エアギャップは、例えば、０．１ｍｍ未満の厚さ、例えば、０．０５ｍｍ未満の厚さを有し、例えば、０．０１ｍｍと薄くてもよい。
【００２４】
第１のレンズアレイ及び第２のレンズアレイの（ポケット）表面間の最大厚さｖは、０．３ｍｍ以上、５ｍｍ以下であってもよい。これは、低コストで軽量のレンズシステムが形成されることを可能にする。しかしながら、デザインは、異なる寸法にスケーリングされてもよい。
【００２５】
各レンズアレイのレンズは、例えば、３００μｍ以上、５ｍｍ以下のピッチ、例えば、マイクロスケールシステムに対して３００μｍ以上、５００μｍ以下のピッチ、又はミリメートルスケールシステムに対して０．８ｍｍ以上、５ｍｍ以下のピッチで配置される。
【００２６】
各レンズアレイのレンズは、六角形のグリッドに配置されてもよい。第１及び第２のレンズアレイのレンズは、好ましくは、整列されたレンズの対を形成するために同じレンズピッチを有する。
【００２７】
第１のレンズアレイの各レンズの焦点は、好ましくは、第２のレンズアレイの表面に又は第２のレンズアレイの表面の近くにある。これは、従来のケーラー構造(Kohler configuration)を規定する。
【００２８】
エアギャップは、好ましくは、平坦である。各レンズアレイは、エアギャップの一方の側を形成する一方の側に平坦な表面を有し、反対の側にテクスチャード加工されたレンズ表面を有してもよい。これは、一般的に言うと、２つのレンズアレイが平坦である（すなわち、レンズは共通平面から投影する）ことを意味する。しかしながら、ギャップは、レンズアレイの共通（平坦）面と鋭角で延びてもよく、及び／又は外側表面は、レンズが共通平面から投影しないが、依然として相互焦点を有するように（内側／外側に）湾曲されてもよい。また、照明システムの審美的デザインが非平坦な光出力面を必要とする場合、システムは非平坦であってもよい。エアギャップは、２つのレンズアレイのちょうど中間にあってもよい。この場合、２つのレンズアレイは、例えば射出成形によって作られる、同一のプレートとして形成されてもよい。さらに代替的に、エアギャップは、第１及び第２のレンズアレイのいずれか一方の近くに位置付けられてもよい。ギャップが、光源の方を向く第１のレンズアレイの近くに位置付けられる、例えば、第１のレンズアレイから厚さｖの最大２５％離れて位置付けられることは、２つのレンズプレートが、所望の光学効果を達成するために相互に異なる屈折率を有する材料から作られる場合、この光学効果が、ギャップが第２のレンズアレイの近くに位置付けられる場合よりも顕著、すなわち、増長されるという有利な点を有する。一方、ギャップが第２のレンズアレイの近くに位置付けられる、例えば、第１のレンズアレイから厚さｖの少なくとも７５％離れて位置付けられる場合、光出力システムは、ギャップの／内の歪み、例えば、表面粗さ又は汚れにそれほどセンシブルではない。
【００２９】
本発明はまた、
上記で定義された光出力システムと、
光源位置における光源と
を備える照明ユニットを提供する。
【００３０】
光源は、例えば、ＬＥＤ又はＬＥＤ配列(LED arrangement)を含む。光出力は、コリメータを介在させることなく、光出力システムに直接提供されてもよい。ＬＥＤ、又はＬＥＤ配列の各ＬＥＤは、例えば、ランバート光出力強度分布を有する。チップオンボードＬＥＤが、低コストの実装のために使用されてもよい。
【００３１】
照明ユニットは、例えば、８０°及び１００°の間の半値全幅角度を有してもよい。これは、良好な光混合がレンズ配列により提供される、広角の出力ビームを提供する。
【００３２】
照明ユニットは、反射側壁及び反射基部を有するハウジングを備え、光源は、基部に設けられ、光出力システムは、側壁上に設けられてもよい。これは、高効率の光出力を可能にするライトボックス構造を規定する。
【図面の簡単な説明】
【００３３】
以下、本発明の例を添付の図面を参照して詳細に述べる。
【図１】図１は、線形レンズレットアレイとして形成されるケーラーインテグレータの典型的な例と、入射角の範囲及び出射角の範囲の関係を示すグラフと式を示す。
【図２】図２は、図１に基づくデザインに対する制限された入射ビーム及び出射ビームの強度対角度のプロットを示す。
【図３】図３は、入力光が所要の狭い角度範囲に制限されない場合の図２のプロットを示す。
【図４】図４は、本発明による光出力システムの一例を示す。
【図５】図５は、図４の構造を通る光路のいくつかの例を示す。
【図６】図６は、図５の光出力システムを使用したライトボックスを示す。
【図７】図７Ａ〜７Ｄは、ひとつの可能なレンズレットデザインを示す。
【図８】図８は、２つの直交軸におけるレンズピッチを示し、光出力システムの斜視図を示す。
【図９】図９は、システムの強度分布を示す。
【図１０】図１０Ａ〜１０Ｃは、さまざまな視野角における光学窓全体の輝度を示す。
【図１１】図１１Ａ〜１１Ｂは、構造内の異なるエアギャップの位置及びレンズ材料の異なる屈折率についての、構造を通る光線経路に対する効果を示す。
【発明を実施するための形態】
【００３４】
本発明は、レンズアレイ間に狭いエアギャップを持つ一対のレンズアレイを有する、ＬＥＤ光源のための光出力システムを提供する。光出力システムは、光混合のための光インテグレーション機能を提供し、エアギャップは、均一なワイドビーム出力が、例えば非コリメート光源から受けるような、広範囲の角度からの入射光についてさえ提供されることを可能にする。
【００３５】
図４は、出力システムの一例を示している。
【００３６】
第１のレンズアレイ４０は、入射光に面する、すなわち、光源位置の方を向く凸レンズ４２を含む。第２のレンズアレイ４４は、光源位置に対して第１のレンズアレイの反対側にあり、光源位置と逆の方を向く凸レンズ４６を含む。第１のレンズアレイ４０は、レンズ形状を規定する外面４０ａ及び平坦な内面４０ｂを有する。第２のレンズアレイ４４は、レンズ形状を規定する外面４４ａ及び平坦な内面４４ｂを有する。
【００３７】
２つのレンズアレイは空気によって囲まれ、第１のアレイ４２と第２のアレイ４６との間、内面４０ｂと内面４４ｂとの間にはエアギャップ４８もある。エアギャップの厚さｄｇは、第１のレンズアレイ４２の外面及び第２のレンズアレイ４６の外面間の最大厚さの１０％未満である。斯くして、図示のパラメータについて、エアギャップの幅は、０．１（ｖ＋２ｘ）未満である。
【００３８】
２つのレンズアレイはケーラーインテグレータとして機能するが、エアギャップによって提供される修正された光学機能を備える。斯くして、２つのレンズアレイのレンズは、レンズの対を形成するように整列される。エアギャップは、第１のレンズアレイにおけるレンズからの屈折光ビームが、対のレンズではない第２のレンズアレイにおけるレンズに渡り得るのを防ぐように狭い。エアギャップは、例えば、０．１ｍｍ未満の厚さ、例えば、０．０５ｍｍ未満の厚さを有し、例えば、０．０１ｍｍと薄くてもよい。
【００３９】
図１に示されているものに対応する寸法パラメータが、図４に示されている。
【００４０】
エアギャップは、２つのレンズアレイのちょうど中間にあってもよい。この場合、２つのレンズアレイは、例えば射出成形によって作られる、同一のプレートとして形成されてもよい。
【００４１】
光路のいくつかの例が図５に示されている。第１の光路のセットは、法線入射角（φ＝０）における平行ビームとして示され、第２の光路のセットは、大きな入射角（φ＝６５°）における平行ビームとして示されている。
【００４２】
垂直入射光線は、９０％以上の透過があるように、二重層構造全体を介して容易に透過される。約６０°よりも大きい角度を有する入射光線は、エアギャップにおける光線の全反射によって非常に低い透過率、したがって高い反射率を有する。高角度は、例えばライトボックスデザインの側壁及び基部において散漫散乱を提供することにより、光学システム内で再利用されることができる。最終結果は、高角においては非常に限られた強度しか持たないビーム形状である。このデザインは、特にワイドビームデザイン（ＦＷＨＭが８０°〜１００°）に特に適している。
【００４３】
斯くして、エアギャップは、インテグレーション機能が、低グレアのワイドビームが形成されることを可能にするために、とりわけ事前のコリメーションのない、拡散光で作用することを意味する。光出力システムは、均一な光出口窓が、魅力的な外観を有して形成されることを可能にする。
【００４４】
レンズアレイは、線形構造として形成されてもよい。斯くして、図５（及び図６）は３Ｄレンズのアレイを示すが、レンズは、これらレンズの長さに沿って一定の断面を持つ押出線形構造であることを意味する、２Ｄであってもよい。この場合、ビーム整形又は色混合は一方向にだけであるが、３Ｄ構造は、すべての方向でビーム形状を制御することができる。
【００４５】
図６は、中央にＬＥＤ光源６４を備える基部６２と、光出口窓を形成する、側壁６６及び上述の光学システム６８とを含む、単純なライトボックスを示している。左側に側面図が示され、右側に上面図が示されている。
【００４６】
基部及び側壁は、拡散反射面（例えば、白色）を有する。ライトボックスは、例えばランバート放射プロファイルを持つ２ｍｍ ｘ ２ｍｍの、単一のＬＥＤのみを含んでもよい。しかしながら、１色又は複数の色のＬＥＤのアレイが使用されてもよい。ＬＥＤ光出力は、コリメータを介在させることなく、光出力システム６８に直接提供される。チップオンボードＬＥＤが、低コストの実装のために使用されてもよい。
【００４７】
光出口窓６８のレンズはテッセレーションされ(tessellated)、この目的のために、六角形のグリッドを形成する六角形のレンズレットが使用されてもよい。第１及び第２のレンズアレイのレンズは、好ましくは、整列されたレンズの対を形成するために同じレンズピッチを有し、これは、同一のレンズアレイが使用されてもよいことを意味する。
【００４８】
図７は、例えば第１のレンズレットのアレイのための、ひとつの可能なレンズレットデザインを示している。図７Ａは、（１つの六角形の面を目いっぱい(full on)示し、２つの他の面を斜めから示す）第１の側面図を示し、図７Ｂは、平面図を示し、図７Ｃは、（２つの六角形の面を目いっぱいにではなく示す）第２の側面図を示し、図７Ｄは、斜視図を示す。
【００４９】
各レンズは、平面図において六角形に面取りされた(truncated)（半径Ｒの）球面レンズ表面を有する。
【００５０】
この例の六角形の幾何学的形状は、ｎ＝１．５０（屈折率）、Ｒ＝１．０ｍｍ、ψ＝６０°のパラメータを使用して規定される。これらのパラメータがα、ｖ、ｐ、ｘを計算するために使用され、結果は以下の通りである。
α＝７５．５°
ｖ＝０．６２０ｍｍ
ｐ＝１．９３６ｍｍ
ｘ＝０．７４９ｍｍ
【００５１】
エアギャップの幅は、０．０１ｍｍである。これらのデータから、全体の厚さｖは、第１のレンズアレイのレンズレットのピッチｐより小さいという結果になる。
【００５２】
図８は、直交する２つの軸におけるレンズピッチを示し、光出力システムの斜視図を示している。
【００５３】
これらの寸法は、ひとつの実装例の一般的なスケールの一例を示している。
【００５４】
より一般的には、第１のレンズアレイの最も外側の表面と第２のレンズアレイの最も外側の表面の間の最大厚さ（すなわち、ｖ＋２ｘ）は、０．４ｍｍ以上、５ｍｍ以下であってもよい。これは、低コストで軽量のレンズシステムが形成されることを可能にする。しかしながら、デザインは、異なる寸法にスケーリングされてもよい。
【００５５】
各レンズアレイのレンズは、例えば、３００μｍ以上、５ｍｍ以下の（図８に示されるような）ピッチ、例えば、マイクロスケールシステムに対して３００μｍ以上、５００μｍ以下のピッチ、又はミリメートルスケールシステムに対して０．８ｍｍ以上、５ｍｍ以下のピッチで配置される。これら２つのサブ範囲の間の任意のサイズ範囲も使用されてもよい。
【００５６】
光出力ユニットの全体的な面積は、例えば、１０ｃｍ２から１０００ｃｍ２の範囲内である。
【００５７】
図９は、システムの強度分布を示している。０°の角度方向（例えば、天井に配置されたライトボックスについて鉛直下方）にピーク強度Ｉ０がある。約６０°より大きい視野角について、（Ｉ０と比較して）非常に低い強度しか存在しない。
【００５８】
図１０は、さまざまな視野角における光学窓全体の輝度を示している。
【００５９】
図１０Ａは、視野角０°における輝度を示し、図１０Ｂは、視野角３０°における輝度を示し、図１０Ｃは、視野角７０°における輝度を示す。
【００６０】
均一な面照明の印象を与える規則的なドットパターンが見える。
【００６１】
図１１Ａ〜１１Ｂは、構造内の異なるエアギャップ４８の位置及びレンズ材料の異なる屈折率ｎ１、ｎ２、ｎ３についての、第１のレンズアレイ４０及び第２のレンズアレイ４４を備える構造を通る光線経路に対する効果を概略的に示す。図示されるように、非屈折光線７０は、屈折率ｎ１を有する第１のレンズアレイ４０に入り、屈折光線７０ａとして伝播する。エアギャップ４８を横切った後、当該光線は、第２のレンズアレイに入り、第２のレンズアレイの材料の屈折率に応じて、該光線が第１のレンズアレイによって屈折された場合よりも多く（すなわち、ｎ２＞ｎ１）、等しく（すなわち、ｎ１＝ｎ１）、又は少なく（すなわち、ｎ３＜ｎ１）屈折される。図に示されるように、エアギャップの位置（及び使用される材料の屈折率）に応じた第２のレンズアレイを出る光線のシフト位置の効果Δｙは明白である。図１１Ａにおいて、エアギャップは、第１のレンズアレイ４０から２５％ ＊ ｖ未満、すなわち、約１５％ ＊ ｖに存在し、効果は増長される。図１１Ｂにおいて、エアギャップは、第１のレンズアレイ４０から７５％ ＊ ｖを超えて、すなわち、約８５％ ＊ ｖに存在し、光線経路は、汚れ及び／又はエアギャップ表面の歪みにそれほどセンシブルではない。
【００６２】
光出力システムの外形、したがってシステムを使用するライトボックスは、任意の所望の形状を有することができる。
【００６３】
照明システムは、例えば、オフィス又は他の部屋を照明するための照明器具であり、その場合、照明器具は、天井の凹部に若しくは天井の表面に対して取り付けられてもよく、又は天井から吊り下げられてもよい。この場合、光出力システムは照明器具の下側を形成し、該下側を通って、光が照明器具の光源からオフィスに放射される。照明器具からの光は、鉛直下方向に放射されるだけでなく、所望のワイドビームを形成するために鉛直方向とある角度を囲む方向にも放射される。斯くして、照明器具は、照明器具自体の寸法よりも遥かに大きくし得る領域を照らす。照明の最大角度がまた、照明器具からある距離にいる人々にとっての不都合を回避するために設けられる。斯くして、典型的には、複数の照明器具が天井にわたって配置され、各照明器具は、該照明器具の下のオフィスの一部を照らし、天井の表面と小さな角度を囲む光放射が回避される。
【００６４】
開示された実施形態に対する他の変更は、図面、開示、及び添付の特許請求の範囲の研究から、クレームされた発明を実施する際に当業者によって理解され、達成され得る。特許請求の範囲において、「含む（comprising）」という単語は他の要素又はステップを排除するものではなく、不定冠詞「a」又は「an」は複数を除外しない。特定の手段が相互に異なる従属請求項に列挙されているという単なる事実は、これらの手段の組み合わせが有利に使用できないことを示すものではない。請求項中の参照符号は、範囲を限定するものとして解釈されるべきではない。
【図１】
2020516040.tif 000003
【図２】
2020516040.tif 000004
【図３】
2020516040.tif 000005
【図４】
2020516040.tif 000006
【図５】
2020516040.tif 000007
【図６】
2020516040.tif 000008
【図７Ａ】
2020516040.tif 000009
【図７Ｂ】
2020516040.tif 000010
【図７Ｃ】
2020516040.tif 000011
【図７Ｄ】
2020516040.tif 000012
【図８】
2020516040.tif 000013
【図９】
2020516040.tif 000014
【図１０Ａ】
2020516040.tif 000015
【図１０Ｂ】
2020516040.tif 000016
【図１０Ｃ】
2020516040.tif 000017
【図１１Ａ】
2020516040.tif 000018
【図１１Ｂ】
2020516040.tif 000019
【国際調査報告】
2020516040.tif 000020
2020516040.tif 000021
2020516040.tif 000022